(57)【要約】【課題】読み取られた画像データを記憶するための記憶手段において消費される記憶容量を削減する。【解決手段】原稿読取制御部３２は、原稿サイズ検出部３１により検出された原稿サイズ分の原稿画像を読み取るように画像読取部３３を制御する。画像読取部３３は、画像読取制御部３２による制御に基づいて、原稿の画像を原稿サイズ分だけ読み取る。画像蓄積部３４は、画像読取部３３により読み取られた原稿サイズ分の画像データを記憶する。画像処理部３５は、画像蓄積部３４に記憶されている画像データに対して、用紙サイズと原稿サイズとの差分の領域に白色の画像データを付加する処理を行う。画像出力部３６は、画像処理部３５により白色画像データの付加等の各種画像処理が行われた画像データを、指定されたサイズの用紙上に出力する。【選択図】図３
2009303112.tif 000002
【特許請求の範囲】
【請求項１】
原稿のサイズを検出する検出手段と、
前記検出手段により検出された原稿のサイズに基づいて原稿画像を読み取る読取手段と、
前記読取手段により読み取られた原稿画像に対する画像データを記憶する記憶手段と、
前記記憶手段に記憶されている画像データに対して、印刷用紙のサイズと前記原稿のサイズとの差分に対応する領域を予め定められた画像とするデータを付加する付加手段と、
前記付加手段により用紙サイズと原稿サイズとの差分の領域について予め定められた画像とするデータが付加された画像データを指定された用紙サイズの印刷用紙上に出力する画像出力手段と、
を有する画像形成装置。
【請求項２】
複数の原稿画像を１つの画像として出力する場合、前記付加手段は、前記記憶手段に記憶されている前記複数の画像データに対して、印刷用紙の用紙サイズと前記複数の原稿のサイズとの差分に対応する領域を予め定められた画像とするデータを付加する請求項１記載の画像形成装置。
【請求項３】
原稿読み取り領域を移動させる指定が行われた場合、前記読取手段は、移動した原稿読み取り領域に含まれる原稿画像を読み取り、
前記記憶手段は前記読取手段により読み取られた原稿画像に対応する画像データを記憶する請求項１記載の画像形成装置。
【請求項４】
原稿の外形から使用者によって定められた量内側の枠状領域に含まれる画像を消去する指定が行われた場合、前記読取手段により読み取られた原稿に対応する画像データのうち前記枠状領域に含まれる画像データを消去する枠消し処理を行う枠消し手段をさらに有し、
前記記憶手段は、前記枠消し手段により枠消し処理が行われた画像データを記憶する請求項１記載の画像形成装置。
【請求項５】
原稿の特定領域の抽出または削除の指定が行われた場合、前記読取手段により読み取られた原稿に対応する画像データのうち指定された特定領域に含まれる画像データ以外の画像データの消去処理または特定領域に含まれる画像データの消去処理を行う特定領域抽出消去手段をさらに有し、
前記記憶手段は、前記特定領域抽出消去手段による消去処理が行われた画像データを記憶する請求項１に記載の画像形成装置。
【請求項６】
紙詰まりが発生した場合、前記付加手段は、前記記憶手段に記憶されている画像データに対して、印刷用紙の用紙サイズと原稿のサイズとの差分に対応する領域を予め定められた画像とするデータを付加する請求項１乃至５のいずれか１項に記載の画像形成装置。
【請求項７】
原稿のサイズを検出する検出手段と、
前記検出手段により検出された原稿のサイズに基づいて原稿画像を読み取る読取手段と、
前記読取手段により読み取られた原稿画像に対する画像データを記憶する記憶手段と、
前記記憶手段に記憶されている画像データに対して、印刷用紙のサイズと前記原稿のサイズとの差分に対応する領域を予め定められた画像とするデータを付加する付加手段と、
前記付加手段により用紙サイズと原稿サイズとの差分の領域について予め定められた画像とするデータが付加された画像データを指定された用紙サイズの印刷用紙上に出力する画像出力手段と、
を有する画像形成システム。
【請求項８】
原稿のサイズを検出するステップと、
検出された原稿のサイズに基づいて原稿画像を読み取るステップと、
読み取られた原稿画像に対する画像データを記憶するステップと、
記憶されている画像データに対して、印刷用紙のサイズと前記原稿のサイズとの差分に対応する領域を予め定められた画像とするデータを付加するステップと、
用紙サイズと原稿サイズとの差分の領域について予め定められた画像とするデータが付加された画像データを指定された用紙サイズの印刷用紙上に出力するステップとをコンピュータに実行させるためのプログラム。
【発明の詳細な説明】
【技術分野】
【０００１】
本発明は、画像形成装置、画像形成システムおよびプログラムに関する。
【背景技術】
【０００２】
特許文献１には、読み取った画像の任意の箇所に白データを付加する機能を特徴とする画像処理装置が開示されている。
【０００３】
【特許文献１】特開平１０−２７６３２０号公報
【発明の開示】
【発明が解決しようとする課題】
【０００４】
本発明の目的は、読み取られた画像データを記憶するための記憶手段において消費される記憶容量を削減することが可能な画像読取装置、画像形成装置およびプログラムを提供することである。
【課題を解決するための手段】
【０００５】
［画像形成装置］
請求項１に係る本発明は、原稿のサイズを検出する検出手段と、
前記検出手段により検出された原稿のサイズに基づいて原稿画像を読み取る読取手段と、
前記読取手段により読み取られた原稿画像に対する画像データを記憶する記憶手段と、
前記記憶手段に記憶されている画像データに対して、印刷用紙のサイズと前記原稿のサイズとの差分に対応する領域を予め定められた画像とするデータを付加する付加手段と、
前記付加手段により用紙サイズと原稿サイズとの差分の領域について予め定められた画像とするデータが付加された画像データを指定された用紙サイズの印刷用紙上に出力する画像出力手段とを有する画像形成装置である。
【０００６】
請求項２に係る本発明は、複数の原稿画像を１つの画像として出力する場合、前記付加手段は、前記記憶手段に記憶されている前記複数の画像データに対して、印刷用紙の用紙サイズと前記複数の原稿のサイズとの差分に対応する領域を予め定められた画像とするデータを付加する請求項１記載の画像形成装置である
【０００７】
請求項３に係る本発明は、原稿読み取り領域を移動させる指定が行われた場合、前記読取手段は、移動した原稿読み取り領域に含まれる原稿画像を読み取り、
前記記憶手段は前記読取手段により読み取られた原稿画像に対応する画像データを記憶する請求項１記載の画像形成装置である。
【０００８】
請求項４に係る本発明は、原稿の外形から使用者によって定められた量内側の枠状領域に含まれる画像を消去する指定が行われた場合、前記読取手段により読み取られた原稿に対応する画像データのうち前記枠状領域に含まれる画像データを消去する枠消し処理を行う枠消し手段をさらに有し、
前記記憶手段は、前記枠消し手段により枠消し処理が行われた画像データを記憶する請求項１記載の画像形成装置である。
【０００９】
請求項５に係る本発明は、原稿の特定領域の抽出または削除の指定が行われた場合、前記読取手段により読み取られた原稿に対応する画像データのうち指定された特定領域に含まれる画像データ以外の画像データの消去処理または特定領域に含まれる画像データの消去処理を行う特定領域抽出消去手段をさらに有し、
前記記憶手段は、前記特定領域抽出消去手段による消去処理が行われた画像データを記憶する請求項１記載の画像形成装置である。
【００１０】
請求項６に係る本発明は、紙詰まりが発生した場合、前記付加手段は、前記記憶手段に記憶されている画像データに対して、印刷用紙の用紙サイズと原稿のサイズとの差分に対応する領域を予め定められた画像とするデータを付加する請求項１乃至５のいずれか１項に記載の画像形成装置である。
【００１１】
[画像形成システム]
請求項７に係る本発明は、原稿のサイズを検出する検出手段と、
前記検出手段により検出された原稿のサイズに基づいて原稿画像を読み取る読取手段と、
前記読取手段により読み取られた原稿画像に対する画像データを記憶する記憶手段と、
前記記憶手段に記憶されている画像データに対して、印刷用紙のサイズと前記原稿のサイズとの差分に対応する領域を予め定められた画像とするデータを付加する付加手段と、
前記付加手段により用紙サイズと原稿サイズとの差分の領域について予め定められた画像とするデータが付加された画像データを指定された用紙サイズの印刷用紙上に出力する画像出力手段とを有する画像形成システムである。
【００１２】
[プログラム]
請求項８に係る本発明は、原稿のサイズを検出するステップと、
検出された原稿のサイズに基づいて原稿画像を読み取るステップと、
読み取られた原稿画像に対する画像データを記憶するステップと、
記憶されている画像データに対して、印刷用紙のサイズと前記原稿のサイズとの差分に対応する領域を予め定められた画像とするデータを付加するステップと、
用紙サイズと原稿サイズとの差分の領域について予め定められた画像とするデータが付加された画像データを指定された用紙サイズの印刷用紙上に出力するステップとをコンピュータに実行させるためのプログラムである。
【発明の効果】
【００１３】
請求項１に係る本発明によれば、用紙基準で原稿画像を読み取る場合と比較して、読み取られた画像データを記憶するための記憶手段において消費される記憶容量を削減できる画像形成装置を提供することができる。
【００１４】
請求項２に係る本発明によれば、複数画像を１つの画像にまとめて出力する機能を選択された場合でも、用紙基準で原稿画像を読み取る場合と比較して、読み取られた画像データを記憶するための記憶手段において消費される記憶容量を削減できる画像形成装置を提供することができる。
【００１５】
請求項３に係る本発明によれば、原稿読み取り領域を移動させる機能が選択された場合でも、用紙基準で原稿画像を読み取る場合と比較して、読み取られた画像データを記憶するための記憶手段において消費される記憶容量を削減できる画像形成装置を提供することができる。
【００１６】
請求項４に係る本発明によれば、本構成を有していない場合に比較して、原稿外形から使用者によって定められた量内側の枠状領域に含まれる画像を消去する枠消し機能を、使用者の意図通り忠実に実現できる画像形成装置を提供することができる。
【００１７】
請求項５に係る本発明によれば、本構成を有していない場合に比較して、原稿の特定領域を抽出または削除する機能を、使用者の意図通り忠実に実現できる画像形成装置を提供することができる。
【００１８】
請求項６に係る本発明によれば、本構成を有していない場合に比較して、紙詰まりが発生したことにより記憶手段内に不正な画像データが記憶された場合でも、不正な画像が印刷用紙上に出力されることを防ぐことができる画像形成装置を提供することができる。
【００１９】
請求項７に係る本発明によれば、用紙基準で原稿画像を読み取る場合と比較して、読み取られた画像データを記憶するための記憶手段において消費される記憶容量を削減できる画像形成システムを提供することができる。
【００２０】
請求項８に係る本発明によれば、用紙基準で原稿画像を読み取る場合と比較して、読み取られた画像データを記憶するための記憶手段において消費される記憶容量を削減できるプログラムを提供することができる。
【発明を実施するための最良の形態】
【００２１】
次に、本発明の実施の形態について図面を参照して詳細に説明する。
【００２２】
図１は本発明の一実施形態の画像形成装置を含む画像形成システムのシステム構成を示す図である。本発明の一実施形態の画像形成システムは、図１に示されるように、例えばネットワーク３０のような通信路により相互に接続された画像形成装置１０、および端末装置２０により構成される。
【００２３】
端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０の一例としては、印刷（プリント）機能、読み取り（スキャン)機能、複写（コピー）機能、ファクシミリ機能等の複数の機能を有するいわゆる複合機と呼ばれる装置である。そして、画像形成装置１０には、自動原稿送り装置４０が含まれているものもある。この自動原稿送り装置４０は、原稿トレイ上にセットされた原稿束を順次スキャナに搬送する機能を有している。
【００２４】
次に、本実施形態の画像形成システムにおける画像形成装置１０のハードウェア構成を図２に示す。
【００２５】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７、自動原稿送り装置（ＡＤＦ：Auto Document Feeder）４０を有する。これらの構成要素は、制御バス１８を介して互いに接続されている。
【００２６】
ＣＰＵ１１は、メモリ１２または記憶装置１３に格納された制御プログラムに基づいて所定の処理を実行して、画像形成装置１０の動作を制御する。
【００２７】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２８】
図３は、上記の制御プログラムが実行されることにより実現される画像形成装置１０の機能構成を示すブロック図である。
【００２９】
本実施形態の画像形成装置１０は、図３に示されるように、画像読取ユニット８０と、画像出力部３６とを備えている。そして、画像読取ユニット８０は、少なくとも自動原稿送り装置（ＡＤＦ）４０、原稿サイズ検出部３１と、画像読取制御部３２と、画像読取部３３と、画像蓄積部３４と、画像処理部３５とを有している。
【００３０】
自動原稿送り装置４０は、原稿トレイに置かれた原稿を順次所定の原稿読み取り位置まで搬送する原稿搬送手段として機能する。この自動原稿送り装置４０には、図４に示すように、６つのセンサＳＮＳ１〜ＳＮＳ６が設けられている。ＳＮＳ２〜６は、原稿トレイ上に設置された複数のセンサにより構成され、自動原稿送り装置４０の原稿トレイ上に置かれた原稿のサイズの候補を検出するために設けられている。また、ＳＮＳ１は、自動原稿送り装置４０により搬送される原稿の実際のサイズを検出するために設けられている。
【００３１】
センサＳＮＳ２は、原稿の有無、つまり原稿が原稿トレイに置かれたか否かを検出するために設けられており、実際の原稿サイズの判定には関与していない。センサＳＮＳ３、ＳＮＳ４は、原稿の主走査方向の幅を検出するためのセンサである。ＳＮＳ３は、ガイド９２の移動を検出するために設けられており、ガイド９２の位置に応じて出力論理が変化する。また、ＳＮＳ４は、ガイド９１の移動を検出するために設けられており、ガイド９１の位置に応じて出力論理が変化する。センサＳＮＳ５、ＳＮＳ６は、上に原稿が載せられているか否かを検出するためのセンサである。原稿６０が原稿トレイ上に置かれると、そのサイズに応じてセンサＳＮＳ５、ＳＮＳ６の上を塞ぐこととなり、ＳＮＳ５、ＳＮＳ６は、上に原稿が載せられているか否かをそれぞれ検出する。
【００３２】
この自動原稿送り装置４０を側面から見た際の断面図を図５に示す。図５に示されるように、自動原稿送り装置４０では、原稿トレイ上に原稿６０が置かれると、センサＳＮＳ２〜６の出力論理が変化する。そのため、センサＳＮＳ２〜ＳＮＳ６により原稿トレイ上に置かれた原稿６０の原稿サイズの推定が可能となる。なお、センサＳＮＳ１は、原稿が原稿トレイ上に置かれただけでは原稿サイズを測定することはできず、原稿の搬送が開始されて初めて原稿サイズを測定可能である。具体的には、センサＳＮＳ１により原稿の通過が検出された時間と、原稿の搬送速度とから、原稿の副走査方向の原稿サイズを正確に測定することが可能となる。
【００３３】
このように、原稿が原稿トレイ上に置かれただけでは正確な原稿サイズを測定することは困難であるため、原稿が定型サイズであるものと仮定して、センサＳＮＳ２〜ＳＮＳ６上における原稿の有無を検出した検出結果に基づいて原稿サイズの推定が行われる。そして、１枚目の原稿が自動原稿送り装置４０により搬送されて、センサＳＮＳ１を通過することにより原稿の正確なサイズを測定することとなる。
【００３４】
そして、図５に示されるように、自動原稿送り装置４０により原稿が搬送されてくる読み取り位置には、図３に示した画像読取部３３が設けられている。
【００３５】
画像読取部３３は、原稿を照射するキセノンランプ５１と、反射ミラー５２、５３と、結像レンズ５４と、ＣＣＤ（Charge Coupled Device）等の光電変換素子５５とから構成されていて、自動原稿送り装置４０により搬送されてきた原稿またはプラテンガラス７０上に置かれた原稿画像を読み取る。
【００３６】
画像読取部３３は、図示しないキャリッジに設けられていて、副走査方向に移動可能となっている。そのため、プラテンガラス７０上に置かれた原稿の画像を読み取る場合には、画像読取部３３は、副走査方向に移動しながら原稿の読み取りを行うことができる。また、原稿トレイ上に置かれた原稿の画像を読み取る場合には、画像読取部３３は、原稿が搬送されてくる原稿読み取り位置まで移動することにより、原稿トレイから搬送されてきた原稿の画像を順次読み取ることができるような構成となっている。なお、ここで副走査方向とは、用紙が搬送される方向と同一な方向であり、主走査方向に対して垂直な方向をいう。なお、主走査方向とは、印刷用紙上に画像が形成される際に、偏向されたレーザ光が走査される方向を意味する。
【００３７】
原稿サイズ検出部３１は、自動原稿送り装置４０に設けられたセンサＳＮＳ１〜ＳＮＳ６の出力信号に基づいて、自動原稿送り装置４０の原稿トレイ上に置かれた原稿のサイズを検出する。ここで、原稿サイズとは、画像読取部３３により読み取られた原稿の縦方向の長さと横方向の長さにより規定されるサイズのことを意味する。
【００３８】
原稿読取制御部３２は、原稿サイズ検出部３１により検出された原稿サイズ分の原稿画像を読み取るように画像読取部３３を制御する。
【００３９】
画像読取部３３は、画像読取制御部３２による制御に基づいて、原稿読み取り位置に搬送されてきた原稿や、プラテンガラス７０上に置かれた原稿の画像を原稿サイズ分だけ読み取る。画像蓄積部３４は、画像読取部３３により読み取られた原稿サイズ分の画像データを記憶する。
【００４０】
画像処理部３５は、画像蓄積部３４に記憶された画像データに対して、色変換処理等各種の画像処理を行う。そして、画像処理部３５は、この画像処理に含まれる処理として、画像蓄積部３４に記憶されている画像データに対して、用紙サイズと原稿サイズとの差分の領域に対して予め定められた画像とするデータを付加する処理を行う。ここで、予め定められた画像とするデータを付加する処理とは、使用者により予め定められたデータを付加する処理をいい、例えば白色の画像データを付加する処理をいう。また、印刷用紙の色が白色以外の場合には、印刷用紙の色と同一色の画像データを付加する処理としてもよい。なお、予め定められた画像とするデータを付加する処理は、特定色のデータを付加する処理に限られない。
【００４１】
画像出力部３６は、画像処理部３５により白色画像データの付加等の各種画像処理が行われた画像データを、指定されたサイズの用紙上に出力する。ここで、用紙サイズとは、例えば、Ａ４サイズ、Ｂ５サイズのように、印刷用紙の縦方向の長さと横方向の長さにより規定されるサイズのことを意味する。
【００４２】
次に、本発明の一実施形態の画像形成装置１０の動作を図面を参照して詳細に説明する。
【００４３】
図６は、本実施形態の画像形成装置１０の複写処理時の動作を示すフローチャートである。
まず、自動原稿送り装置４０の原稿トレイに複写（コピー）しようとする原稿がセットされると、ＳＮＳ２〜ＳＮＳ６からの出力信号の論理に基づいて、原稿サイズ検出部３１は原稿サイズの候補を検出する。そして、原稿が自動原稿送り装置４０により搬送されると、ＳＮＳ１からの出力信号により、原稿サイズ検出部３１は、原稿の副走査方向の正確なサイズを検出する（ステップＳ１０１）。
【００４４】
すると、画像読取制御部３２は、原稿サイズ検出部３１により検出された原稿サイズに基づいて、検出された原稿サイズ分の原稿サイズを読み取るように、原稿読取部３３を制御する（ステップＳ１０２）。そして、画像読取部３３により読み取られた原稿画像データは、画像蓄積部３４に保存される（ステップＳ１０３）。
【００４５】
次に、画像蓄積部３４に保存されていた画像データは読み出され（ステップＳ１０４）、画像処理部３５では、画像蓄積部３４からに読み出された画像データに対して各種画像処理を行う。この画像処理の１つの処理として、指定された用紙サイズが読み取られた原稿画像の原稿サイズよりも大きい場合に、画像処理部３５は、画像蓄積部３４に保存されている画像データに対して、用紙サイズと原稿サイズとの差分の領域を使用者によって定められた画像を付加する処理を行う（ステップＳ１０５）。本実施形態では、白色の画像データを付加する処理を行うこととする（ステップＳ１０５）。
【００４６】
そして、画像出力部３６は、画像処理部３５により白色画像データの付加等の画像処理が行われた後の画像データに基づいて画像を形成して出力する（ステップＳ１０６）。そして、このステップＳ１０１〜Ｓ１０６の処理は、原稿がなくなるまで繰り返される（ステップＳ１０７）。
【００４７】
なお、本実施形態の画像形成装置１０では、画像読取部３３によって読み取った画像データを、画像出力部３６において印刷用紙上に出力する場合だけでなく、画像読取部３３によって読み取った画像データを、画像形成装置１０内の特定の記憶領域（例えば、親展ボックスとして設定された記憶領域）内に格納するような場合や、ネットワーク３０等の通信路を介して端末装置２０等の特定の記憶領域内に出力するような場合にも同様な処理が行なわれるようにしてもよい。このような場合には、画像処理部３５によって用紙サイズと原稿サイズとの差分に対応した領域に白色の画像データが付加された画像データが、特定の記憶領域内に格納または出力される。
【００４８】
[具体例１]
次に、具体例を用いて、本実施形態の画像形成装置１０による複写処理を行う際の動作を説明する。ここでは、図７に示すように、原稿サイズがＡ４の原稿を、用紙サイズがＡ３の印刷用紙に出力する場合を用いて説明する。
【００４９】
本実施形態の画像形成装置１０では、画像読取制御部３２は、検出された原稿サイズよりも指定された用紙サイズのほうが大きい場合に、検出された原稿サイズに対応した領域分の原稿画像を読み取るよう画像読取部３３を制御する。つまり、画像読取制御部３２は、原稿サイズ基準により原稿画像の読み取りを行うよう画像読取部３３を制御する。
【００５０】
図８では、用紙サイズ基準で読み取りを行った場合を図８（Ａ）に示し、原稿サイズ基準で読み取りを行った場合を図８（Ｂ）に示す。
【００５１】
用紙サイズ基準での読み取り動作が行われ、原稿サイズがＡ４で指定された用紙サイズがＡ３の場合、図８（Ａ）に示されるように、Ａ４の原稿画像を含めたＡ３分の画像の読み取りが行われる。その結果、Ａ３サイズの画像データが得られることとなる。そのため、画像データを記憶するための画像蓄積部３４のメモリ量としてはＡ３サイズ分のメモリ量が必要となる。最後に、このＡ３サイズの画像データに基づいてＡ３サイズの印刷用紙に画像が出力される。
【００５２】
本実施形態の画像形成装置１０のように、原稿サイズ基準での読み取り動作が行われ、原稿サイズがＡ４で指定された用紙サイズがＡ３の場合、図８（Ｂ）に示されるように、用紙サイズにかかわらずＡ４分のみの画像の読み取りが行われる。その結果、Ａ４サイズの画像データが得られることとなる。そのため、画像データを記憶するための画像蓄積部３４のメモリ量としてはＡ４サイズ分のメモリ量のみが必要となる。そして、画像蓄積部３４から読み出されたＡ４サイズの画像データをＡ３サイズの印刷用紙に出力するために、Ａ３サイズとＡ４サイズの差分の領域に対して白色画像データが付加されＡ３サイズの画像データとなる。最後に、このＡ３サイズの画像データに基づいてＡ３サイズの印刷用紙に画像が出力される。
【００５３】
次に、用紙サイズ基準で読み取りを行った場合と原稿サイズ基準で読み取りを行った場合とで、印刷が完了するまでに要する時間差について図９を参照して説明する。
【００５４】
ここでは、図７、図８に示すように原稿サイズが１４で指定された用紙サイズがＡ３の場合を用いて説明する。また、画像出力部３６における印刷速度が、画像読取部３３における読取速度よりも２倍速いものとして説明する。
【００５５】
用紙サイズ基準で読み取りを行った場合、画像読取部３３は、Ａ３サイズ分の画像データを読み取る必要がある。そのため、図９（Ａ）に示されるように、時刻ｔ１に読み取りを開始したとしても印刷を終了する時刻は時刻ｔ４となる。これに対して、原稿サイズ基準で読み取りを行った場合、画像読取部３３は、Ａ４サイズ分の画像データのみを読み取ればよい。そのため、図９（Ｂ）に示されるように、時刻ｔ１に読み取りを開始すると、時刻ｔ２においてＡ４サイズ分の画像データの印刷が終了し、残りの白色画像データが付加されたＡ４分の領域の印刷が終了する時刻ｔ３には全ての印刷が完了する。
【００５６】
[具体例２]
次に、本実施形態の画像形成装置１０により、複数画像を１つの画像にまとめて出力する機能（集約印刷機能）を実行した場合の動作について説明する。
【００５７】
このような、複数画像を１つの画像にまとめて出力する機能が選択された場合、本実施形態における画像処理部３５は、画像蓄積部３４に記憶されている複数画像の画像データをまとめた領域と用紙サイズの領域との差分の領域に白色の画像データを付加する。
【００５８】
ここでは、図１０に示すように、原稿サイズがＡ４よりも小さい２つの原稿を、用紙サイズがＡ３の印刷用紙に出力する場合を用いて説明する。図１０では、用紙サイズ基準で読み取りを行った場合を図１０（Ａ）に示し、原稿サイズ基準で読み取りを行った場合を図１０（Ｂ）に示す。
【００５９】
用紙サイズ基準での読み取り動作が行われた場合、図１０（Ａ）に示されるように、２つの原稿に対してそれぞれＡ４分の画像の読み取りが行われ、２つのＡ４サイズの画像データが得られる。その結果、Ａ３サイズの画像データが得られることとなる。そのため、画像データを記憶するための画像蓄積部３４のメモリ量としてはＡ３サイズ分のメモリ量が必要となる。最後に、２つのＡ４サイズの画像データが１つのＡ３サイズの画像データに合成され、このＡ３サイズの画像データに基づいてＡ３サイズの印刷用紙に画像が出力される。
【００６０】
本実施形態の画像形成装置１０のように、原稿サイズ基準での読み取り動作が行われる場合、図１０（Ｂ）に示されるように、２つの原稿に対して原稿サイズ分のみの画像の読み取りが行われる。その結果、原稿サイズの画像データが得られることとなる。そのため、画像データを記憶するための画像蓄積部３４のメモリ量としては原稿サイズ分のデータを格納するためのメモリ量のみが必要となる。そして、画像蓄積部３４から読み出された２つの画像データを１枚のＡ３サイズの印刷用紙に出力するために、２つの画像データをまとめた領域とＡ３サイズとの差分の領域に対して白色画像データが付加されＡ３サイズの画像データとなる。最後に、このＡ３サイズの画像データに基づいてＡ３サイズの印刷用紙に画像が出力される。
【００６１】
[具体例３]
次に、本実施形態の画像形成装置１０により、原稿読み取り領域を一定量シフト（移動）させる機能を実行した場合の動作について説明する。
【００６２】
このような、原稿読み取り領域を一定量シフトさせる指定が行われた場合、本実施形態における画像読取部３３は、一定量シフトした原稿読み取り領域に含まれる原稿画像のみを読み取り、画像蓄積部３４は画像読取部３３により読み取られた原稿の一部の画像データを記憶する。
【００６３】
本実施形態の画像形成装置１０により原稿読み取り領域のシフト処理が行われる場合の動作を図１１のフローチャートに示す。この図１１のフローチャートは、図６に示したフローチャートに対して、画像読み取り領域をシフトするステップＳ２０１を追加したものである。つまり、本実施形態における画像形成装置１０では、原稿サイズを検知するステップＳ１０１の処理の後に画像読み取り領域をシフトする処理を行い（ステップＳ２０１）、その後にステップＳ１０２の画像読み取り処理が行われる。
【００６４】
この画像読み取り領域のシフト動作の具体例を図１２を参照して説明する。図１２では、原稿サイズがＡ４の原稿を一定量だけシフトさせて、用紙サイズがＡ３の印刷用紙に出力する場合を用いて説明する。また、図１２では、用紙サイズ基準で読み取りを行った場合を図１２（Ａ）に示し、原稿サイズ基準で読み取りを行った場合を図１２（Ｂ）に示す。
【００６５】
用紙サイズ基準での読み取り動作が行われた場合、図１２（Ａ）に示されるように、一定量だけシフトされたＡ４の原稿画像を含めたＡ３分の画像の読み取りが行われる。その結果、Ａ３サイズの画像データが得られることとなる。そのため、画像データを記憶するための画像蓄積部３４のメモリ量としてはＡ３サイズ分のメモリ量が必要となる。最後に、このＡ３サイズの画像データに基づいてＡ３サイズの印刷用紙に画像が出力される。
【００６６】
本実施形態の画像形成装置１０のように、原稿サイズ基準での読み取り動作が行われた場合、図１２（Ｂ）に示されるように、用紙サイズにかかわらず原稿を一定量シフトした原稿読み取り領域に含まれる原稿画像のみが読み取られ、Ａ４の原稿サイズの一部分について画像の読み取りが行われる。その結果、Ａ４サイズの画像よりも小さな画像が得られることとなる。そのため、画像データを記憶するための画像蓄積部３４のメモリ量としてはＡ４サイズ分のメモリ量よりも少ないメモリ量で足りる。そして、画像蓄積部３４から読み出された原稿画像の一部分の画像データをＡ３サイズの印刷用紙に出力するために、Ａ３サイズと原稿画像の一部分の画像サイズの差分の領域に対して白色画像データが付加されＡ３サイズの画像データとなる。最後に、このＡ３サイズの画像データに基づいてＡ３サイズの印刷用紙に画像が出力される。
【００６７】
[具体例４]
次に、本実施形態の画像形成装置１０により、原稿外形から使用者によって定められた量内側の枠状領域に含まれる画像を消去する機能（枠消し機能）を実行した場合の動作について説明する。枠消しとは、図１３に示されるように、ある原稿を複写しようとする際に、その原稿の外形から使用者によって定められた量内側の領域内の画像を消去する機能である。
【００６８】
このような、原稿外形から使用者によって定められた量内側の枠状領域に含まれる画像を消去する指定が行われた場合、本実施形態における画像処理部３５は、画像読取部３３により読み取られた原稿の画像データのうち枠状領域に含まれる画像データを消去する枠消し処理を行う枠消し手段として機能する。そして、画像蓄積部３４は、画像処理部３５により枠消し処理が行われた画像データを記憶する。
【００６９】
本実施形態の画像形成装置１０により枠消し処理が行われる場合の動作を図１４のフローチャートに示す。この図１４のフローチャートは、図６に示したフローチャートに対して、枠消し処理を行うステップＳ３０１を追加したものである。つまり、本実施形態における画像形成装置１０では、画像読み取り処理を行うステップＳ１０２の処理の後に、枠消し処理を行い（ステップＳ３０１）、その後にステップＳ１０３の画像データの保存が行われる。
【００７０】
この枠消し処理の具体例を図１５を参照して説明する。図１５では、原稿サイズがＡ４よりも少し小さい非定型サイズの原稿に対して枠消しを行って、用紙サイズがＡ４の印刷用紙に出力する場合を用いて説明する。また、図１５では、用紙サイズ基準で読み取りを行った場合を図１５（Ａ）に示し、原稿サイズ基準で読み取りを行った場合を図１５（Ｂ）に示す。
【００７１】
用紙サイズ基準での読み取り動作が行われた場合、図１５（Ａ）に示されるように、原稿サイズがＡ４よりも小さいにもかかわらず、指定された用紙サイズがＡ４であるため、Ａ４分の画像の読み取りが行われる。そして、得られたＡ４分の画像データに対して枠消し処理が行われる。その結果として、原稿画像の右側部分の枠消し処理は行われない。そして読み取られたＡ４サイズの画像データは画像蓄積部３４に記憶される。その後に、このＡ４サイズの画像データに基づいてＡ４サイズの印刷用紙に画像が出力される。
【００７２】
本実施形態の画像形成装置１０のように、原稿サイズ基準での読み取り動作が行われた場合、図１５（Ｂ）に示されるように、原稿サイズがＡ４よりも小さい場合でも原稿画像のみが読み取られる。その結果、Ａ４サイズの画像よりも小さな画像が得られることとなる。そして、得られた原稿分の画像データに対して枠消し処理が行われる。その結果として、原稿画像の４辺とも指定量だけ枠消し処理が行われる。そして、枠消し処理が行われた原稿画像データは画像蓄積部３４に記憶される。その後に、この原稿画像データに基づいてＡ４サイズの印刷用紙に画像が出力される。
【００７３】
[具体例５]
次に、本実施形態の画像形成装置１０により、原稿の特定領域の抽出または削除を行う機能を実行した場合の動作について説明する。原稿の特定領域を削除する機能とは、例えば図１６（Ａ）に示すように、原稿を複写する場合に原稿画像の指定された領域の画像を削除して出力する機能である。また、原稿の特定領域を抽出する機能とは、例えば図１６（Ｂ）に示すように、原稿を複写する場合に原稿画像の指定された領域の画像を抽出して出力する機能である。このような特定領域の指定は、原稿のある基準位置に対して座標を設定することにより行われる。
【００７４】
このような、原稿の特定領域の抽出または削除の指定が行われた場合、本実施形態における画像処理部３５は、画像読取部３３により読み取られた原稿の画像データのうち指定された特定領域に含まれる画像データ以外の画像データの消去処理または特定領域に含まれる画像データの消去処理を行う特定領域抽出消去手段として機能する。そして、画像蓄積部３４は、画像処理部３５による消去処理が行われた後の画像データを記憶する。
【００７５】
本実施形態の画像形成装置１０により特定領域の抽出削除処理が行われる場合の動作を図１７のフローチャートに示す。この図１７のフローチャートは、図６に示したフローチャートに対して、特定領域の抽出または削除処理を行うステップＳ４０１を追加したものである。つまり、本実施形態における画像形成装置１０では、画像読み取り処理を行うステップＳ１０２の処理の後に、特定領域の抽出または削除処理を行い（ステップＳ４０１）、その後にステップＳ１０３の画像データの保存が行われる。
【００７６】
この特定領域の抽出処理の具体例を図１８を参照して説明する。図１８では、原稿サイズがＡ４よりも少し小さい非定型サイズの原稿に対して特定領域の削除を行って、用紙サイズがＡ４の印刷用紙に出力する場合を用いて説明する。また、図１８では、用紙サイズ基準で読み取りを行った場合を図１８（Ａ）に示し、原稿サイズ基準で読み取りを行った場合を図１８（Ｂ）に示す。
【００７７】
用紙サイズ基準での読み取り動作が行われた場合、図１８（Ａ）に示されるように、原稿サイズがＡ４よりも小さいにもかかわらず、指定された用紙サイズがＡ４であるため、Ａ４分の画像の読み取りが行われる。そして、得られたＡ４分の画像データに対して、指定された特定領域内の画像データの消去処理が行われる。
【００７８】
しかし、この特定領域の指定は、画像データのある位置を基準として座標により指定されるため、この基準が設定される場所によっては、使用者が意図していない場所の画像が消去される。一般的に、プラテンガラス７０では右上が読み取り開始位置に設定されているため、原稿の右上の頂点が基準位置に設定される。このように原稿の右上を基準として設定すると、原稿サイズが非定型の場合、原稿の状態で指定された座標と、読み取られたＡ４サイズの画像データ上の座標とはずれが発生することとなる。そのため、用紙サイズ基準で読み取られたＡ４サイズの画像データでは、使用者が意図していたのはずれた領域に対して消去処理が行われる。そして特定領域の削除処理が行われたＡ４サイズの画像データは画像蓄積部３４に記憶される。その後に、このＡ４サイズの画像データに基づいてＡ４サイズの印刷用紙に画像が出力される。
【００７９】
本実施形態の画像形成装置１０のように、原稿サイズ基準での読み取り動作が行われた場合、図１８（Ｂ）に示されるように、原稿サイズがＡ４よりも小さい場合でも原稿画像のみが読み取られる。その結果、Ａ４サイズの画像よりも小さな画像が得られることとなる。そして、得られた原稿分の画像データに対して特定領域の消去処理が行われる。この場合には、使用者が特定領域を指定した際の原稿のサイズと、読み取られた画像データのサイズは同じであるため、指定された特定領域のずれは発生しない。そのため、使用者が意図した領域の画像を消去する処理が行われる。そして、特定領域の削除処理が行われた原稿画像データは画像蓄積部３４に記憶される。その後に、この原稿画像データに基づいてＡ４サイズの印刷用紙に画像が出力される。
【００８０】
[変形例]
上記実施形態では、画像形成装置に対して本発明を適用した場合を用いて説明しているが、本発明はこのような場合に限定されるものではなく、図３に示された画像読取ユニット８０の機能を独立した装置として構成した画像読取装置に対しても同様に適用することが可能である。
【００８１】
また、上記実施形態では、画像処理部３５は、画像蓄積部３４に記憶されている画像データに対して、常に用紙サイズと原稿サイズとの差分の領域に白色の画像データを付加する処理を行うものとして説明しているが、本発明はこのような場合に限定されるものではない。例えば、画像処理部３５は、通常は白色の画像データを付加する処理を行わないが、紙詰まり（ジャム）が発生してエラーとなった場合にのみ紙詰まりが解消した後の処理において白色の画像データを付加する処理を行うようにしてもよい。また、このような場合において、紙詰まりが解消した後の処理において白色の画像データを付加するか否かを使用者が選択することができるようにしてもよい。
【図面の簡単な説明】
【００８２】
【図１】本発明の一実施形態の画像形成装置のシステム構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】自動原稿送り装置４０に設けられた６つのセンサＳＮＳ１〜ＳＮＳ６を示す図である。
【図５】自動原稿送り装置４０を側面から見た際の断面図である。
【図６】本発明の一実施形態の画像形成装置１０の複写処理時における動作を示すフローチャートである。
【図７】原稿サイズがＡ４の原稿を、用紙サイズがＡ３の印刷用紙に出力する場合を示す図である。
【図８】原稿サイズがＡ４の原稿を、用紙サイズがＡ３の印刷用紙に出力する際の、本発明の一実施形態の画像形成装置１０における複写処理の動作を説明するための図である。
【図９】用紙サイズ基準で読み取りを行った場合と原稿サイズ基準で読み取りを行った場合とで、印刷が完了するまでに要する時間差について説明するための図である。
【図１０】原稿サイズがＡ４よりも小さい２つの原稿を用紙サイズがＡ３の印刷用紙に出力する場合を示す図である。
【図１１】本発明の一実施形態の画像形成装置１０により原稿読み取り領域のシフト処理を行う場合の動作を示すフローチャートである。
【図１２】原稿サイズがＡ４の原稿を一定量だけシフトさせて用紙サイズがＡ３の印刷用紙に出力する場合を示す図である。
【図１３】原稿外形から使用者によって定められた量内側の枠状領域に含まれる画像を消去する機能（枠消し）を説明するための図である。
【図１４】本発明の一実施形態の画像形成装置１０により枠消し処理を行う場合の動作を示すフローチャートである。
【図１５】原稿サイズがＡ４よりも少し小さい非定型サイズの原稿に対して枠消しを行って、用紙サイズがＡ４の印刷用紙に出力する場合を示す図である。
【図１６】原稿の特定領域の抽出または削除を行う機能を説明するための図である。
【図１７】本発明の一実施形態の画像形成装置１０により特定領域の抽出削除処理を行う場合の動作を示すフローチャートである。
【図１８】原稿サイズがＡ４よりも少し小さい非定型サイズの原稿に対して特定領域の削除を行って、用紙サイズがＡ４の印刷用紙に出力する場合を示す図である。
【符号の説明】
【００８３】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    原稿サイズ検出部
３２    画像読取制御部
３３    画像読取部
３４    画像蓄積部
３５    画像処理部（白色画像データ付加部）
３６    画像出力部
４０    自動原稿送り装置（ＡＤＦ）
５１    キセノンランプ
５２、５３    反射ミラー
５４    結像レンズ
５５    光電変換素子
６０    原稿
７０    プラテンガラス
８０    画像読取ユニット
９１、９２    ガイド
ＳＮＳ１〜ＳＮＳ６    センサ
Ｓ１０１〜Ｓ１０７    ステップ
Ｓ２０１    ステップ
Ｓ３０１    ステップ
Ｓ４０１    ステップ
【図１】
2009303112.tif 000003
【図２】
2009303112.tif 000004
【図３】
2009303112.tif 000005
【図４】
2009303112.tif 000006
【図５】
2009303112.tif 000007
【図６】
2009303112.tif 000008
【図７】
2009303112.tif 000009
【図８】
2009303112.tif 000010
【図９】
2009303112.tif 000011
【図１０】
2009303112.tif 000012
【図１１】
2009303112.tif 000013
【図１２】
2009303112.tif 000014
【図１３】
2009303112.tif 000015
【図１４】
2009303112.tif 000016
【図１５】
2009303112.tif 000017
【図１６】
2009303112.tif 000018
【図１７】
2009303112.tif 000019
【図１８】
2009303112.tif 000020